(57)【要約】【課題】  製造コストが安く、組み込み駆動時にガタツキが発生しない、薄肉の光量調節装置用羽根及びこの羽根を用いた光量調節装置を提供する。【解決手段】  光量調節装置を薄板上の羽根基部と羽根基部に設けられる第１軸部と第２軸部とが合成樹脂により一体成型される絞り羽根と、第１軸部が係合する軸穴部を備えた回転部材と、第２軸部が係合するカム溝部を備えたカム部材とで構成し、第１軸部及び第２軸部にすり割り部を設け、すり割り部深さをＡ１とし、第１軸部及び第２軸部の羽根基部からの長さをＡ２とすると、Ａ２＞Ａ１に設定し、第１軸部の外径を回転部材の軸穴部の内径よりも大きく設定し、第２軸部の外径をカム部材のカム溝部の幅よりも大きく設定する。【選択図】  図１
2007316236.tif 000002
【特許請求の範囲】
【請求項１】
開口量を制御する薄板上の羽根基部と該羽根基部を回動して開口量を調節するための軸部とが合成樹脂により一体成型される光量調節装置用羽根において、該軸部にすり割り部を設け、該すり割り部深さをＡ１とし、該軸部の該羽根基部からの長さをＡ２とすると、Ａ２＞Ａ１に設定したことを特徴とする光量調節装置用羽根。
【請求項２】
薄板上の羽根基部と該羽根基部に設けられる第１軸部と第２軸部とが合成樹脂により一体成型される羽根と、該第１軸部が係合する軸穴部を備えた軸穴部材と、該第２軸部が係合するカム溝部を備えたカム部材と、で構成され、該穴部材或いは該カム部材のどちらか一方を回動させることで該羽根を回動して開口量を調節する光量調節装置において、該第２軸部にすり割り部を設け、該すり割り部深さをＡ１とし、該第２軸部の該羽根基部からの長さをＡ２とすると、Ａ２＞Ａ１に設定し、該第２軸部の外径を該カム部材のカム溝部の幅よりも大きく設定したことを特徴とする光量調節装置。
【請求項３】
前記軸部は円柱形状にすり割りを設けた形状からなることを特徴とする請求項１に記載の光量調節装置用羽根。
【請求項４】
前記羽根の第２軸部は円柱形状にすり割りを設けた形状からなることを特徴とする請求項２に記載の光量調節装置。
【請求項５】
前記軸部は円筒形状にすり割りを設けた形状からなることを特徴とする請求項１に記載の光量調節装置用羽根。
【請求項６】
前記羽根の第２軸部は円筒形状にすり割りを設けた形状からなることを特徴とする請求項２に記載の光量調節装置。
【請求項７】
開口量を制御する薄板上の羽根基部と該羽根基部を回動して開口量を調節するための係合突起部とが合成樹脂により一体成型される光量調節装置用羽根において、該係合突起部は固定軸部と弾性変形可能な変形部とで構成されることを特徴とする光量調節装置用羽根。
【請求項８】
薄板上の羽根基部と該羽根基部に設けられる第１の係合突起部と第２の係合突起部とが合成樹脂により一体成型される羽根と、該第１の係合突起部が係合する軸穴部を備えた軸穴部材と、該第２の係合突起部が係合するカム溝部を備えたカム部材と、で構成され、該穴部材或いは該カム部材のどちらか一方を回動させることで該羽根を回動して開口量を調節する光量調節装置において、該羽根の第２の係合突起部は固定軸部と弾性変形可能な変形部とで構成され、該第２の係合突起部が該カム部材のカム溝部に挿入される際は、該カム溝部の一方の側面を該変形部が弾性押圧することで、該カム溝部の他方の側面に該固定軸部が当接することを特徴とする光量調節装置。
【発明の詳細な説明】
【技術分野】
【０００１】
本発明は、カメラ、ビデオカメラ、デジタルカメラ等の撮像光学装置に用いられる光量調節装置用の遮光羽根及び遮光羽根を用いた光量調節装置に関するものである。
【背景技術】
【０００２】
固体撮像素子を内蔵したビデオカメラ、デジタルカメラなどのカメラやフイルムを使用するカメラには、レンズの焦点深度の確認、フイルムや固体撮像素子に結像される被写体の光量を調節するために、開口径を制御する絞り装置（光量調節装置）が設けられている。また、映像を投影するための光学機器にも光量調節装置を有したものもある。これらの光量調節装置は、遮光部材として複数の絞り羽根を用い、虹彩のように光軸を中心にして開口径を変化させるタイプと、２枚の絞り羽根を互いに反対方向に相対移動させて開口径を変化させるタイプのものが代表的である。
【０００３】
前者のタイプは、開口径を連続的に変えられるので、任意の開口径を得ることができるという利点があるものの、円形に近い開口が得られるようにするためには絞り羽根の枚数を多くする必要があるため、コスト的には不利な面がある。
【０００４】
一方、後者のタイプは、絞り羽根の枚数が少ないためにコスト的に有利であるが、円形に近い開口径が得られないという欠点がある。
【０００５】
以上述べた絞り羽根は、遮光のための羽根基部と羽根基部を回動するために設けられた軸部から成り立っている。
【０００６】
従来、この羽根に軸を形成するにはシート状の金属板やプラスチックシートに金属製の軸を機械的にカシメたり、羽根シートに樹脂をアウトサート成型で形成したりして、製作に多くの工数が掛かったり、信頼性に問題があったりした。
【０００７】
この問題を解決するため、特許文献１に開示されているような絞り羽根とその製造方法が提案されている。この提案に係る絞り羽根とその製造方法は、羽根基部と軸部とを一体的に射出成型するもので、羽根製作の工数を大幅に削減することが可能になる。
【０００８】
一方、上記絞り羽根の軸部は、軸部が嵌合するカム溝や長穴の幅よりもその外径が若干小さく設定されているのが一般的であり、このため絞り羽根の開閉時にガタツキが生じやすく、例えば光量調節装置の姿勢変化によって開口径が変化してしまうという欠点があった。特許文献１に開示されている絞り羽根も同様である。
【０００９】
このような問題を解決するため、特許文献２に開示されているようなレンズシャッター羽根が提案されている。この提案に係るレンズシャッター羽根は、羽根に設けられるカム溝の一方内面側に固定カム面を形成し、他方内面側に弾性変形する変形部を形成し、カム溝の幅をカム溝に挿入される駆動軸の外径よりも若干狭く設定することで、駆動軸を常に固定カム面と摺接させてガタツキをなくしたものである。
【特許文献１】特開平６−３１７８２６号公報
【特許文献２】特公昭６２−４０６８６号公報
【発明の開示】
【発明が解決しようとする課題】
【００１０】
しかしながら、上記特許文献２に開示のレンズシャッター羽根は、羽根の板厚が薄いと駆動軸挿入後に変形部が羽根を傾けようとする力が働いて羽根が傾きやすく、駆動時の負荷となる。また、羽根の板厚を厚くすると、羽根の重量が増すため羽根の慣性モーメントが大きくなることで駆動負荷が増大し、シャッタスピードに悪影響を及ぼす。
【００１１】
（発明の目的）
本発明の目的は、製造コストが安く、組み込み駆動時にガタツキが発生しない、薄肉の光量調節装置用羽根及びこの羽根を用いた光量調節装置を提供しようとするものである。
【課題を解決するための手段】
【００１２】
請求項１に記載の発明は、開口量を制御する薄板上の羽根基部と該羽根基部を回動して開口量を調節するための軸部とが合成樹脂により一体成型される光量調節装置用羽根において、該軸部にすり割り部を設け、該すり割り部深さをＡ１とし、該軸部の該羽根基部からの長さをＡ２とすると、Ａ２＞Ａ１に設定した光量調節装置用羽根とするものである。
【００１３】
上記構成によれば、光量調節装置用羽根製作の工数を大幅に削減することが可能になるとともに、すり割りのない部分を軸の根元に形成することで、すり割り部の幅を狭めるような外力が加わっても羽根基部が変形しにくい。
【００１４】
また、請求項２に記載の発明は、薄板上の羽根基部と該羽根基部に設けられる第１軸部と第２軸部とが合成樹脂により一体成型される羽根と、該第１軸部が係合する軸穴部を備えた軸穴部材と、該第２軸部が係合するカム溝部を備えたカム部材と、で構成され、該穴部材或いは該カム部材のどちらか一方を回動させることで該羽根を回動して開口量を調節する光量調節装置において、該第２軸部にすり割り部を設け、該すり割り部深さをＡ１とし、該第２軸部の該羽根基部からの長さをＡ２とすると、Ａ２＞Ａ１に設定し、該第２軸部の外径を該カム部材のカム溝部の幅よりも大きく設定した光量調節装置とするものである。
【００１５】
上記構成によれば、羽根製作の工数を大幅に削減することが可能になるとともに、第２軸部の外径をカム溝部の幅よりも大きく設定することで、羽根駆動時のガタツキがなくなり、第２軸部にすり割りのない部分を軸の根元に形成することで、第２軸部をカム溝に挿入しても羽根基部が変形しにくい。
【００１６】
また、請求項３に記載の発明は、前記軸部は円柱形状にすり割りを設けた形状からなる光量調節装置用羽根とするものである。
【００１７】
また、請求項４に記載の発明は、前記羽根の第２軸部は円柱形状にすり割りを設けた形状からなる光量調節装置とするものである。
【００１８】
また、請求項５に記載の発明は、前記軸部は円筒形状にすり割りを設けた形状からなる光量調節装置用羽根とするものである。
【００１９】
また、請求項６に記載の発明は、前記羽根の第２軸部は円筒形状にすり割りを設けた形状からなる光量調節装置とするものである。
【００２０】
また、請求項７に記載の発明は、開口量を制御する薄板上の羽根基部と該羽根基部を回動して開口量を調節するための係合突起部とが合成樹脂により一体成型される光量調節装置用羽根において、該係合突起部は固定軸部と弾性変形可能な変形部とで構成される光量調節装置用羽根とするものである。
【００２１】
上記構成によれば、光量調節装置用羽根製作の工数を大幅に削減することが可能になるとともに、係合突起部を固定軸部と弾性変形可能な変形部とで構成することで、係合突起部を狭めるような外力が加わっても変形部が外力を吸収することで羽根基部が変形しにくい。
【００２２】
また、請求項８に記載の発明は、薄板上の羽根基部と該羽根基部に設けられる第１の係合突起部と第２の係合突起部とが合成樹脂により一体成型される羽根と、該第１の係合突起部が係合する軸穴部を備えた軸穴部材と、該第２の係合突起部が係合するカム溝部を備えたカム部材と、で構成され、該穴部材或いは該カム部材のどちらか一方を回動させることで該羽根を回動して開口量を調節する光量調節装置において、該羽根の第２の係合突起部は固定軸部と弾性変形可能な変形部とで構成され、該第２の係合突起部が該カム部材のカム溝部に挿入される際は、該カム溝部の一方の側面を該変形部が弾性押圧することで、該カム溝部の他方の側面に該固定軸部が当接する光量調節装置とするものである。
【００２３】
上記構成によれば、羽根製作の工数を大幅に削減することが可能になるとともに、第２の係合突起部とカム溝部との間に生じる羽根駆動時のガタツキがなくなる。また、第２の係合突起部に弾性押圧する変形部を設けたことで、羽根組み込み作動時に羽根基部が変形しにくい。
【発明の効果】
【００２４】
本発明によれば、製造コストが安く、組み込み駆動時にガタツキが発生しない、薄肉の光量調節装置用羽根及びこの羽根を用いた光量調節装置を提供できるものである。
【発明を実施するための最良の形態】
【００２５】
次に、本発明の詳細を実施例の記述に従って説明する。
【実施例１】
【００２６】
図１乃至図４は本発明の実施例１に係わる図であり、そのうち、図１は光量調節装置の分解斜視図、図２は図１の光量調節装置における絞り羽根１枚の平面図、図３は第２軸部１ｃの拡大斜視図、図４は図２の絞り羽根の図中Ａ−Ａでの断面図である。
【００２７】
図１において、１，２，３，４，５，６は光量調節部材としての絞り羽根であり、これらの絞り羽根は、遮光性を有し開口量を規制する羽根基部１ａ，２ａ，３ａ，４ａ，５ａ，６ａと、該羽根基部の一方の面に設けられる第１軸部１ｂ，２ｂ，３ｂ，４ｂ，５ｂ，６ｂと、該羽根基部の他方の面に設けられる第２軸部１ｃ，２ｃ，３ｃ，４ｃ，５ｃ，６ｃ（一部不図示）と、が一体で形成されており、これらは全て合成樹脂により一体成型される。
【００２８】
７は中央に開口部７ａが形成されたリング状の回転部材であり、回転部材７には軸穴部７ｂ，７ｃ，７ｄ，７ｅ，７ｆ，７ｇと、６つに分割された回転嵌合突起部７ｈと、ギア部７ｉが設けられている。
【００２９】
８は中央に開口部８ａが形成されたリング状のカム部材であり、カム部材８にはカム溝部８ｂ，８ｃ，８ｄ，８ｅ，８ｆ，８ｇが設けられている。
【００３０】
９は中央に開口部９ａが形成されたリング状の押え部材であり、押え部材９には穴部９ｂと、モータ取り付け部９ｃが設けられている。
【００３１】
１０は回転部材７を駆動するステッピングモータであり、ステッピングモータ１０の軸先端にはピニオンギア１１が固定されており、押え部材９のモータ撮り付け部９ｃに取り付けられる。その際、ピニオンギア１１は押え部材９の穴部９ｂを貫通して回転部材７のギア部７ｉと噛み合う。
【００３２】
押え部材９は回転部材７と絞り羽根１〜６を間に挟んでカム部材８に固定され、回転部材７と絞り羽根１〜６の光軸方向の抜け止めの役割を果たす。その際、回転部材７の回転嵌合突起部７ｈは押え部材９の開口部９ａに嵌合して回動可能に支持される。また、絞り羽根１〜６の第１軸部１ｂ〜６ｂは回転部材７の軸穴部７ｂ〜７ｇにそれぞれ回動可能に嵌合しており、第２軸部１ｃ〜６ｃはカム部材８のカム溝部８ｂ〜８ｇにそれぞれ摺動可能に嵌合している。
【００３３】
絞り羽根１〜６は光軸を中心に円周方向に均等配置されて、遮光性を有する羽根基部１ａ〜６ａが重ね合わされることで絞り開口を制御可能となり、重ね合わせが大きいほど絞り開口量は小さくなる。
【００３４】
ステッピングモータ１０を駆動させるとピニオンギア１１が回転し、ピニオンギア１１は回転部材７のギア部７ｉに噛み合っているので回転部材７も回転する。これにより、絞り羽根１〜６はそれぞれ第１軸部１ｂ〜６ｂが動かされることで、第２軸部１ｃ〜６ｃがカム部材８のカム溝部８ｂ〜８ｇに沿って移動する。これら６枚の絞り羽根１〜６が同様の回転動作をすることで、カム部材８の開口部８ａからの退避状態と挿入状態とを連続的に変化させることができる。すなわち、ステッピングモータ１０を制御することで、絞り開口の径が変化し、光量を調節することができる。
【００３５】
以上により、光量調節装置が構成される。
【００３６】
図２は上記光量調節装置の構成部品の１つである絞り羽根１の平面図であり図３は第２軸部１ｃの拡大斜視図、図４は図２に示す絞り羽根１の図中Ａ−Ａでの断面図である。なお、第１軸部１ｂは第２軸部１ｃと同様の形状であり、拡大斜視図及び断面図は省略している。
【００３７】
本実施例１での絞り羽根１は、羽根基部１ａと第１軸部１ｂと第２軸部１ｃとで構成される。羽根基部１ａは薄板形状をしており、第１軸部１ｂ及び第２軸部１ｃは図３乃び図４のように円柱形状にそれぞれすり割り部１ｄ、すり割り部１ｅを設けた形状となっている。また、第１軸部１ｂ及び第２軸部１ｃの軸方向長さをＬ１とし、すり割り部１ｄ及びすり割り部１ｅのすり割り深さをＬ２とすると、Ｌ１＞Ｌ２の関係になるように設定されている。これにより、すり割りのない部分が軸の根元に形成されることで、すり割り部１ｄ或いはすり割り部１ｅの幅を狭めるような外力が加わっても羽根基部１ａが変形しにくい。よって、羽根基部１ａの厚みを薄く成型することが可能となる。
【００３８】
第２軸部１ｃのすり割り部１ｅのすり割り方向はカム部材８のカム溝部８ｂの長さ方向に略平行になるように形成されており、すり割り部１ｅがカム溝部８ｂの両側面に当接しないようになっている。第１軸部１ｂのすり割り部１ｄのすり割り方向は第２軸部１ｃのすり割り部１ｅのすり割り方向に略直角に設けられる。
【００３９】
第１軸部１ｂの外径は回転部材７の軸穴部７ｂの穴径よりも若干大きく設定される。第１軸部１ｂが軸穴部７ｂに挿入される際は、第１軸部１ｂがすり割り部１ｄの幅を狭める方向にバネ性を有する（弾性変形する）ことで挿入が可能となり、第１軸部１ｂの外周が軸穴部７ｂの内周に当接して嵌合ガタの発生を抑えることができる。この時、上記説明にあるように、すり割りのない部分が軸の根元に形成されているので羽根基部１ａが変形しにくい。ここで、第１軸部１ｂの外径と回転部材７の軸穴部７ｂの穴径との差、及びすり割り部１ｄの幅を変更することで、バネ性を調整することが可能となる。同様に、第２軸部１ｃの外径はカム部材８のカム溝部８ｂの幅よりも若干大きく設定される。第２軸部１ｃがカム溝部８ｂに挿入される際は、第２軸部１ｃがすり割り部１ｅの幅を狭める方向にバネ性を有する（弾性変形する）ことで挿入が可能となり、第２軸部１ｃの外周がカム溝部８ｂの両側面に当接して嵌合ガタの発生を抑えることが可能となる。この時、上記説明にあるように、すり割りのない部分が軸の根元に形成されているので羽根基部１ａが変形しにくい。ここで、第２軸部１ｃの外径とカム部材８のカム溝部８ｂの幅との差、及びすり割り部１ｅの幅を変更することで、バネ性を調整することが可能となる。
【００４０】
絞り羽根２〜６は上記絞り羽根１と同一形状であり、説明は省略する。
【００４１】
なお、本実施例１では第１軸部と第２軸部の両方共にすり割り部を設けてあるが、カム溝部に挿入される第２軸部にのみすり割り部を設ける構成であっても、嵌合ガタの発生を抑える効果は大きい。これは、一般的に軸と軸穴とに生じる嵌合ガタよりも軸とカム溝とに生じる嵌合ガタのほうが大きいためである。
【００４２】
以上説明したように、絞り羽根１〜６は合成樹脂により羽根基部と２つの軸部が一体成型で形成されるので、軸部にすり割りを入れたりすることが可能となり、軸部形状の自由度が高い。
【実施例２】
【００４３】
図５及び図６は本発明の実施例２に係わる図であり、実施例１で説明した絞り羽根の軸部形状のみ異なるもので、その他は同一であり、説明は省略する。
【００４４】
図５は絞り羽根２１の第２軸部２１ｃの拡大斜視図、図６は第２軸部２１ｃの断面図である。なお、第１軸部２１ｂは第２軸部２１ｃと同様の形状であり、拡大斜視図及び断面図は省略し、説明も省略する。
【００４５】
本実施例２での絞り羽根２１は、羽根基部２１ａと第１軸部２１ｂと第２軸部２１ｃとで構成される。羽根基部２１ａは薄板形状をしており、第２軸部２１ｃは図５乃び図６のように円筒形状にそれぞれすり割り部２１ｅを設けた形状となっている。実施例１との相違点は、実施例１が円柱形状にすり割りを設けていたのに対し、本実施例では円筒形状にすり割りを設けた形状である点である。円筒形状にすることで、円柱形状よりも弾性変形が容易になるとともに、均肉化が可能となり成型性が向上する。第２軸部２１ｃの軸方向長さをＬ１とし、すり割り部２１ｅのすり割り深さをＬ２とすると、Ｌ１＞Ｌ２の関係になるように設定されている。これにより、すり割りのない部分が軸の根元に形成されることで、すり割り部２１ｅの幅を狭めるような外力が加わっても羽根基部２１ａが変形しにくい。よって、羽根基部２１ａの厚みを薄く成型することが可能となる。
【００４６】
第２軸部２１ｃの外径はカム部材８のカム溝部８ｂの幅よりも若干大きく設定される。第２軸部２１ｃがカム溝部８ｂに挿入される際は、第２軸部２１ｃがすり割り部２１ｅの幅を狭める方向にバネ性を有する（弾性変形する）ことで挿入が可能となり、第２軸部２１ｃの外周がカム溝部８ｂの両側面に当接して嵌合ガタの発生を抑えることが可能となる。この時、上記説明にあるように、すり割りのない部分が軸の根元に形成されているので羽根基部２１ａが変形しにくい。ここで、第２軸部２１ｃの外径とカム部材８のカム溝部８ｂの幅との差、及びすり割り部２１ｅの幅を変更することで、バネ性を調整することが可能となる。
【００４７】
その他の絞り羽根は上記絞り羽根２１と同一形状であり、説明は省略する。
【実施例３】
【００４８】
図７及び図８は本発明の実施例３に係わる図であり、実施例１で説明した絞り羽根の軸部形状のみ異なるもので、その他は同一であり、説明は省略する。
【００４９】
図７は絞り羽根３１の第２軸部３１ｃの拡大斜視図、図８は第２軸部３１ｃの断面図である。なお、第１軸部３１ｂは第２軸部３１ｃと同様の形状であり、拡大斜視図及び断面図は省略し、説明も省略する。
【００５０】
本実施例３での絞り羽根３１は、羽根基部３１ａと第１軸部３１ｂと第２軸部３１ｃとで構成される。羽根基部３１ａは薄板形状をしており、第２軸部３１ｃは図７乃び図８のように固定軸部３１ｄと弾性変形可能な変形部３１ｅとで構成される。固定軸部３１ｄは半円の円柱形状、変形部３１ｅは半円の円筒形状からなり、固定軸部３１ｄと変形部３１ｅは円周方向に所定の隙間をもって隣接している。また、第２軸部３１ｃの軸方向長さをＬ１とし、変形部３１ｅの軸方向長さをＬ２とすると、Ｌ１＞Ｌ２の関係になるように設定されている。これにより、軸の根元が肉厚となることで、変形部３１ｅの径方向に外力が加わっても羽根基部３１ａが変形しにくい。よって、羽根基部３１ａの厚みを薄く成型することが可能となる。
【００５１】
第２軸部３１ｃの外径はカム部材８のカム溝部８ｂの幅よりも若干大きく設定される。第２軸部３１ｃがカム溝部８ｂに挿入される際は、第２軸部３１ｃの変形部３１ｅがカム溝部８ｂの一方の側面を弾性押圧することで、固定軸部３１ｄがカム溝部８ｂの他方の側面に当接する。よって、嵌合ガタの発生を抑えることが可能となる。この時、上記説明にあるように、軸の根元が肉厚となっているので羽根基部３１ａが変形しにくい。
【００５２】
その他の絞り羽根は上記絞り羽根３１と同一形状であり、説明は省略する。
【実施例４】
【００５３】
図９及び図１０は本発明の実施例４に係わる図であり、実施例１で説明した絞り羽根の軸部形状のみ異なるもので、その他は同一であり、説明は省略する。
【００５４】
図９は絞り羽根４１の第２軸部４１ｃの拡大斜視図、図１０は第２軸部４１ｃの断面図である。なお、第１軸部４１ｂは第２軸部４１ｃと同様の形状であり、拡大斜視図及び断面図は省略し、説明も省略する。
【００５５】
本実施例４での絞り羽根４１は、羽根基部４１ａと第１軸部４１ｂと第２軸部４１ｃとで構成される。羽根基部４１ａは薄板形状をしており、第２軸部４１ｃは図９乃び図１０のように固定軸部４１ｄと弾性変形可能な変形部４１ｅとで構成される。固定軸部４１ｄは半円の円柱形状、変形部４１ｅは半円の円筒形状からなり、固定軸部４１ｄと変形部４１ｅは円周方向で一体化されており、変形部４１ｅの羽根基部４１ａ側には穴部４１ｆが設けられて、変形部４１ｅは羽根基部４１ａとは離れた構成となっている。すなわち変形部４１ｅは薄肉化によって径方向を縮める方向にバネ性をもっている。これにより、変形部４１ｅの径方向に外力が加わっても羽根基部４１ａが変形しにくい。よって、羽根基部４１ａの厚みを薄く成型することが可能となる。
【００５６】
第２軸部４１ｃの外径はカム部材８のカム溝部８ｂの幅よりも若干大きく設定される。第２軸部４１ｃがカム溝部８ｂに挿入される際は、第２軸部４１ｃの変形部４１ｅがカム溝部８ｂの一方の側面を弾性押圧することで、固定軸部４１ｄがカム溝部８ｂの他方の側面に当接する。よって、嵌合ガタの発生を抑えることが可能となる。この時、上記説明にあるように、変形部４１ｅは羽根基部４１ａとは離れた構成となっているので羽根基部４１ａが変形しにくい。
【００５７】
その他の絞り羽根は上記絞り羽根４１と同一形状であり、説明は省略する。
【００５８】
最後に、上記実施例１乃至４の効果について、まとめて以下に列挙する。
【００５９】
１）実施例１及び２における光量調節装置は、薄板上の羽根基部と羽根基部に設けられる第１軸部と第２軸部とが合成樹脂により一体成型される絞り羽根と、第１軸部が係合する軸穴部を備えた回転部材と、第２軸部が係合するカム溝部を備えたカム部材と、で構成され、回転部材或いはカム部材のどちらか一方を回動させることで絞り羽根を回動して開口量を調節できるもので、第１軸部及び第２軸部にすり割り部を設け、すり割り部深さをＡ１とし、第１軸部及び第２軸部の羽根基部からの長さをＡ２とすると、Ａ２＞Ａ１に設定し、第１軸部の外径を回転部材の軸穴部の内径よりも大きく設定し、第２軸部の外径をカム部材のカム溝部の幅よりも大きく設定している。
【００６０】
よって、絞り羽根は合成樹脂により羽根基部と２つの軸部が一体成型で形成されるので、軸部にすり割りを設けたような複雑な形状にも対応できるとともに、羽根製作の工数を大幅に削減することで大幅なコストダウンが可能になる。また、軸部にすり割りを設けたことで、軸部の径方向にバネ性をもたせることができ、軸部と軸穴部或いはカム溝部との嵌合ガタの発生を抑える構成が可能となる。よって、絞りの口径精度が一段と向上する。さらに、軸部にすり割りのない部分を軸の根元に形成することで、軸部を軸穴部或いはカム溝部に挿入しても羽根基部が変形しにくい。よって、羽根基部の薄肉化が可能となる。
【００６１】
２）実施例３及び４における光量調節装置は、薄板上の羽根基部と羽根基部に設けられる第１軸部と第２軸部とが合成樹脂により一体成型される絞り羽根と、第１軸部が係合する軸穴部を備えた回転部材と、第２軸部が係合するカム溝部を備えたカム部材と、で構成され、回転部材或いはカム部材のどちらか一方を回動させることで絞り羽根を回動して開口量を調節できるもので、絞り羽根の第２軸部は固定軸部と弾性変形可能な変形部とで構成され、第２軸部がカム溝部に挿入される際は、カム溝部の一方の側面を変形部が弾性押圧することで、カム溝部の他方の側面に固定軸部が当接するものである。
【００６２】
よって、絞り羽根は合成樹脂により羽根基部と２つの軸部が一体成型で形成されるので、軸部を固定軸部と変形部とで構成するような複雑な形状にも対応できるとともに、羽根製作の工数を大幅に削減することで大幅なコストダウンが可能になる。また、軸部にすり弾性変形可能な変形部を設けたことで、軸部の径方向にバネ性をもたせることができ、軸部と軸穴部或いはカム溝部との嵌合ガタの発生を抑えることが可能となる。よって、絞りの口径精度が一段と向上する。さらに、実施例３では軸部の根元を肉厚に形成し、実施例４では変形部は羽根基部と離れた構成となっているので、軸部を軸穴部或いはカム溝部に挿入しても羽根基部が変形しにくい。よって、羽根基部の薄肉化が可能となる。
【図面の簡単な説明】
【００６３】
【図１】本発明の実施例１に係る光量調節装置の分解斜視図である。
【図２】図１の光量調節装置における絞り羽根１枚の平面図である。
【図３】図２の絞り羽根の第２軸部の拡大斜視図である。
【図４】図２の絞り羽根のＡ−Ａでの断面図である。
【図５】本発明の実施例２に係る絞り羽根の第２軸部の拡大斜視図である。
【図６】図５の第２軸部の断面図である。
【図７】本発明の実施例３に係る絞り羽根の第２軸部の拡大斜視図である。
【図８】図７の第２軸部の断面図である。
【図９】本発明の実施例４に係る絞り羽根の第２軸部の拡大斜視図である。
【図１０】図９の第２軸部の断面図である。
【符号の説明】
【００６４】
１〜６  絞り羽根
１ａ〜６ａ  羽根基部
１ｂ〜６ｂ  第１軸部
１ｃ〜６ｃ  第２軸部
１ｄ、１ｅ  すり割り部
７  回転部材
７ｂ〜７ｇ  軸穴部
７ｉ  ギア部
８  カム部材
８ｂ〜８ｇ  カム溝部
９  押え部材
１０  ステッピングモータ
１１  ピニオンギア
【図１】
2007316236.tif 000003
【図２】
2007316236.tif 000004
【図３】
2007316236.tif 000005
【図４】
2007316236.tif 000006
【図５】
2007316236.tif 000007
【図６】
2007316236.tif 000008
【図７】
2007316236.tif 000009
【図８】
2007316236.tif 000010
【図９】
2007316236.tif 000011
【図１０】
2007316236.tif 000012